(57)【要約】【課題】インスタントＴＶ機能でのＴＶ視聴中にＰＣ機能を使用しようとした場合、表示部の映像はＴＶ映像からＰＣ映像に切り替わるため、使用者はＴＶ視聴をいったん中断しＰＣ映像が表示された状態でＯＳの起動を待ち続けざるを得なかった。【解決手段】リモコンまたは筐体ボタンからＰＣ切換えの指示を受けると、 ＰＣ連携映像切換コントローラは、ＰＣの起動指示と起動確認、ＯＳの起動確認をおこない、ＯＳの起動後に映像切換部に対してＰＣ映像を出力して表示するような切換指示をおこなう。また、ＡＰ起動の指示の場合は、ＯＳ起動確認の後、ＡＰ起動指示と起動確認をおこない、ＡＰの起動後にＰＣ映像を出力するような切換指示をおこなう。【選択図】        図２
2006140788.tif 000002
【特許請求の範囲】
【請求項１】
ＴＶ映像信号とＰＣ映像信号とを入力し表示信号として切り換えて出力する映像切換手段を制御する映像切換コントローラにおいて、
外部からのＰＣ切換信号の受信手段と、
ＰＣに対するＯＳ起動確認信号の送信手段と、
ＰＣからのＯＳ起動完了信号の受信手段とを備え、
前記ＰＣ切換信号を外部から受信し、前記ＯＳ起動確認信号をＰＣに対して送信し、前記ＯＳ起動完了信号をＰＣから受信したときに、前記映像切換手段に対して前記ＰＣ映像信号を出力するように切換指示を出力することを特徴とする映像切換コントローラ。
【請求項２】
さらに、外部からのＡＰ起動指示信号の受信手段と、
ＰＣに対するＡＰ起動要求信号の送信手段と、
ＰＣに対するＡＰ起動確認信号の送信手段と、
ＰＣからのＡＰ起動完了信号の受信手段とを備え、
前記ＡＰ起動指示信号を外部から受信したときに、前記ＯＳ起動完了信号の受信後に、前記ＡＰ起動要求信号と前記ＡＰ起動確認信号をＰＣに対して送信し、前記ＡＰ起動完了信号をＰＣから受信したときに、前記映像切換手段に対してＰＣ映像信号を出力するように切換指示を出力することを特徴とする請求項１記載の映像切換コントローラ。
【請求項３】
ＰＣの起動状態を示すＰＣ起動状態信号の受信手段と、
ＰＣを起動するためのＰＣ起動要求信号の送信手段とを備え、
前記ＰＣ切換信号を受信し、ＰＣから受信した前記ＰＣ起動状態信号がＰＣの非起動状態を示しているときに、前記ＰＣ起動要求信号を送信することを特徴とする請求項１記載の映像切換コントローラ。
【請求項４】
ＰＣの起動状態を示すＰＣ起動状態信号の受信手段と、
ＰＣを起動するためのＰＣ起動要求信号の送信手段とを備え、
前記ＡＰ起動指示信号を外部から受信し、ＰＣから受信した前記ＰＣ起動状態信号がＰＣの非起動状態を示しているときに、前記ＰＣ起動要求信号をＰＣに送信することを特徴とする請求項２記載の映像切換コントローラ。
【請求項５】
さらに、ＰＣからのＯＳ終了信号受信手段を備え、
前記ＯＳ終了信号をＰＣから受信したときに、前記映像切換手段に対してＴＶ映像信号を出力するように切換指示を出力することを特徴とする請求項１記載の映像切換コントローラ。
【請求項６】
さらに、ＰＣからのＴＶ視聴スクリーンセーバー起動信号の受信手段と
ＰＣからのＴＶ視聴スクリーンセーバー起動信号の受信手段とを備え、
前記ＴＶ視聴スクリーンセーバー起動信号をＰＣから受信したときに、前記映像切換手段に対してＴＶ映像信号への切換指示を出力し、
前記ＴＶ視聴スクリーンセーバー終了信号をＰＣから受信したときに、前記映像切換手段に対してＰＣ映像信号を出力するように切換指示を出力することを特徴とする請求項１記載の映像切換コントローラ。
【請求項７】
入力されるＴＶ映像信号とＰＣ映像信号とをオーバレイして表示信号として出力するオーバレイ手段を制御する映像切換コントローラにおいて、
外部からのＰＣ切換信号の受信手段と、
ＰＣに対するＯＳ起動確認信号の送信手段と、
ＰＣからのＯＳ起動完了信号の受信手段とを備え、
前記ＰＣ切換信号を外部から受信し、前記ＯＳ起動確認信号をＰＣに対して送信し、前記ＯＳ起動完了信号をＰＣから受信したときに、前記オーバレイ手段に対してＴＶ映像信号とＰＣ映像信号とを入力して、それらをオーバレイした表示信号を出力する指示をおこなうことを特徴とする映像切換コントローラ。
【請求項８】
さらに、外部からのＡＰ起動指示信号の受信手段と、
ＰＣに対するＡＰ起動要求信号の送信手段と、
ＰＣに対するＡＰ起動確認信号の送信手段と、
ＰＣからのＡＰ起動完了信号の受信手段とを備え、
前記ＡＰ起動指示信号を外部から受信したときに、前記ＯＳ起動完了信号の受信後に、前記ＡＰ起動要求信号と前記ＡＰ起動確認信号をＰＣに対して送信し、前記ＡＰ起動完了信号をＰＣから受信したときに、前記オーバレイ手段に対してＴＶ映像信号とＰＣ映像信号とを入力して、それらをオーバレイした表示信号を出力する指示をおこなうことを特徴とする請求項７記載の映像切換コントローラ。
【請求項９】
ＴＶ映像信号とＰＣ映像信号を入力し表示信号として切り換えて出力する映像切換手段を制御する映像切換コントローラからＯＳの起動と確認をおこなうＰＣにおいて、
ＯＳ起動確認信号を映像切換コントローラから受信し、ＯＳの起動確認をおこなって、ＯＳが起動完了したときに、前記映像切換コントローラにＯＳ起動完了信号を送信するＯＳ・ＡＰ制御手段を備えることを特徴とするＰＣ。
【請求項１０】
さらに、前記ＯＳ・ＡＰ制御手段は、
ＡＰ起動要求信号を前記映像切換コントローラから受信し、 ＡＰの起動確認をおこなって、ＡＰ起動確認信号を前記映像切換コントローラから受信し、ＡＰの起動確認をおこなって、ＡＰが起動完了したときに、前記映像切換コントローラにＡＰ起動完了信号を送信することを特徴とする請求項９記載のＰＣ。
【請求項１１】
さらに、前記ＯＳ・ＡＰ制御手段は、
ＯＳ終了時に前記映像切換コントローラに対してＯＳ終了信号を送信することを特徴とする請求項９記載のＰＣ。
【請求項１２】
さらに、前記ＯＳ・ＡＰ制御手段は、
ＴＶ視聴スクリーンセーバーを起動するときに、前記映像切換コントローラに対しＴＶ視聴スクリーンセーバー起動信号を送信し、ＴＶ視聴スクリーンセーバーを終了するときに、ＴＶ視聴スクリーンセーバー終了信号を前記映像切換コントローラに対し送信することを特徴とする請求項９記載のＰＣ。
【請求項１３】
ＴＶ視聴可能なＰＣにおける映像切換方法であって、
ＰＣ切換信号を外部から受信する手順と、
ＯＳ起動確認信号をＰＣに対して送信する手順と、
ＯＳ起動完了信号をＰＣから受信する手順と、
前記ＯＳ起動完了信号をＰＣから受信したときに、ＴＶ映像信号とＰＣ映像信号との出力を切り換えて表示信号として出力する映像切換手段に対して前記ＰＣ映像信号を出力するように切換指示を出力する手順とを有することを特徴とする映像切換方法。
【請求項１４】
さらに、ＡＰ起動指示信号を外部から受信する手順と、
ＡＰ起動要求信号をＰＣに対して送信する手順と、
ＡＰ起動確認信号をＰＣに対して送信する手順と、
ＡＰ起動完了信号をＰＣから受信する手順と、
前記ＡＰ起動指示信号を外部から受信したときに、前記ＯＳ起動完了信号をＰＣから受信する手順の後に、前記ＡＰ起動要求信号と前記ＡＰ起動確認信号をＰＣに対して送信する手順と、
前記ＡＰ起動完了信号をＰＣから受信したときに、ＴＶ映像信号とＰＣ映像信号との出力を切り換えて表示信号として出力する映像切換手段に対してＰＣ映像信号を出力するように切換指示を出力する手順とを有することを特徴とする請求項１３記載の映像切換方法。
【発明の詳細な説明】
【技術分野】
【０００１】
本発明は、ＴＶ視聴が可能なパーソナルコンピュータ（以下、「ＰＣ」と記す）の映像切換コントローラに係り、特に、ＰＣとＴＶを切り換えて使うユーザに対して好適なユーザインタフェースを提供する映像切換コントローラに関する。
【背景技術】
【０００２】
ＰＣは、単に事務用機械としての位置付けのみならず、近年、その一般家庭への普及に伴い、マルチメディア機能、アミューズメント機能がセールスポイントになっている。そのため、各メーカは、ＴＶ視聴機能をＰＣに搭載して製品化することが多くなってきている。
【０００３】
このようなＴＶ視聴機能を有するＰＣの構成は、ＰＣ内の表示コントローラを介してＴＶチューナの出力映像情報を表示部に出力するものが一般的である。この構成の場合、ＴＶ映像を表示するには、電源投入後にＰＣのオペレーティングシステム（以下、「ＯＳ」と記す）およびＴＶ視聴用のアプリケーションプログラム（以下、「ＡＰ」と記す）を起動する必要がある。このため、電源投入後からＴＶ映像を表示するには、ＰＣのＯＳの起動時間と、ＴＶ視聴用のＡＰの起動時間が必要となる。
【０００４】
一般的なＯＳは起動時間が長いため、ＰＣ起動後からＴＶ映像を表示するまでの時間が長い。この時間を短縮する手段として、一般的なＯＳとは別にＴＶ視聴のみを目的としたＯＳおよびＴＶ視聴用のＡＰをＰＣに持たせる方法がある。ここで、この様に電源投入後から素早くＴＶ表示させる機能を「インスタントＴＶ視聴機能」と呼ぶことにする。
【０００５】
インスタントＴＶ視聴機能を有するＰＣに関する従来技術は、例えば、以下の特許文献１に開示されている。特許文献１では、ＴＶチューナの映像の出力先の一つに、タイミング調整・信号セレクタ部を設けることにより、ＰＣ内の表示コントローラを介することなく、ＴＶチューナの出力映像を表示部へ出力することができる。ＰＣを介さずにＴＶチューナの出力映像情報を出力できるため、ＰＣのＯＳおよびＴＶ視聴用のＡＰを起動することなく、電源投入後に素早くＴＶ映像を表示することが可能となる。
【０００６】
【特許文献１】特開２００３−１５３１０９号公報
【発明の開示】
【発明が解決しようとする課題】
【０００７】
上述した特許文献１では、インスタントＴＶ視聴機能とＰＣ機能が互いに完全に独立した機能となっている。具体的には、インスタントＴＶ視聴機能でＴＶを視聴している場合にはＴＶ映像を表示し、ＰＣ機能を使用する場合にはＰＣ映像を表示する。したがって、インスタントＴＶ機能でのＴＶ視聴中にＰＣ機能を使用しようとした場合には、ユーザは、表示部の映像をＴＶ映像からＰＣ映像に切り換えねばならない。このため、装置の起動と同時にＴＶ視聴を始める場合はいいが、ＴＶ視聴途中に、ＴＶ映像からＰＣ映像を切り換える場合には、ＰＣ映像が表示された状態でＯＳの起動を待ち続ける必要があり（図２のＳ９）、ＴＶ視聴用ＡＰの起動が完了するまで使用者はＴＶ視聴をいったん中断せざるを得なかった。さらに、ＯＳ起動後にＴＶを視聴するためには、ＴＶ視聴用のＡＰを起動する必要があり（図２のＳ１１）、使用者がＴＶ視聴を続けるためには、ＡＰ起動のための煩雑な操作が必要であった。
【０００８】
本発明は、上記問題点を解決するためになされたもので、その目的は、ＴＶ視聴可能なＰＣにおいて、ＴＶ機能とＰＣ機能を切り換えて使うユーザに対して、快適なユーザインタフェースを提供することにある。
【課題を解決するための手段】
【０００９】
本発明のインスタントＴＶ機能を有するＰＣにおける映像表示セレクタを制御する映像切換コントローラは、リモコンまたは筐体ボタンからＰＣへの切換指示を受けると、電源の状態を確かめ、電源が立ち上がっていないときは、電源をＯＮにして、ＰＣに対してＯＳ起動確認信号を送信する。ＯＳ起動完了信号をＰＣから受信したときに、映像表示セレクタに対してＰＣ映像信号を出力するように切換指示を出力する。このようにすれば、ＰＣ映像に切り換わったときには、ＯＳが起動しているために、ユーザはＯＳの起動を待つための待ち時間の発生を意識することがない。
【００１０】
さらに、ＡＰ起動指示信号をリモコンまたは筐体ボタンから受信したときに、ＯＳ起動完了信号の受信後に、ＡＰ起動要求信号とＡＰ起動確認信号をＰＣに対して送信し、ＡＰ起動完了信号をＰＣから受信したときに、映像表示セレクタに対してＰＣ映像信号を出力するように切換指示を出力する。このようにすれば、ユーザは、ＡＰが操作できるようになるまで、ＴＶ視聴を続けることができる。
【００１１】
ＡＰは、ＴＶ視聴のためのＡＰで引き続き同じ番組を視聴する場合でもよいし、 インターネットブラウザ等の他の機能を持つＡＰでＰＣ上の作業をする場合でもよい。
【００１２】
このように本発明によれば、インスタントＴＶ視聴機能を有するＰＣにおいて、インスタントＴＶ視聴機能からＰＣ機能へ切り換えた場合でも、ＯＳ起動やＴＶ視聴ＡＰ起動、インターネットブラウザＡＰ起動等の要求された指示の起動が完了するまで、一切中断することなく常にＴＶ映像を視聴し続けることが可能となり、ユーザにＯＳ起動のための待ち時間、ＡＰ起動のための待ち時間の発生を意識させない。
【発明の効果】
【００１３】
本発明によれば、ＴＶ視聴可能なＰＣにおいて、ＴＶ機能とＰＣ機能を切り換えて使うユーザに対して、快適なユーザインタフェースを提供することができる。
【発明を実施するための最良の形態】
【００１４】
以下、本発明に係る各実施形態を、図１ないし図７を用いて説明する。
【００１５】
〔実施形態１〕
以下、本発明に係る第一の実施形態を、図１ないし図４を用いて説明する。
【００１６】
先ず、図１を用いて本発明の第一の実施形態に係るインスタントＴＶ視聴機能を有するＰＣシステムの構成について説明する。
図１は、本発明の第一の実施形態に係るインスタントＴＶ視聴機能を有するＰＣシステムの構成図である。
【００１７】
本発明に係るＰＣシステムは、図１に示されるように映像切換部に入力された映像をＰＣ映像切換コントローラ１０１によって表示映像２１４を切り換え、表示部１０７に表示するようになっている。
【００１８】
デジタルチューナ１０６は、デジタル放送を受信するためのチューナであり、受信した映像情報であるデジタルＴＶ映像情報２１１をデジタルデコーダ１０５に出力する。デジタルデコーダ１０５はデジタルＴＶ映像情報２１１を映像として視聴可能な映像形式にデコードし、デジタルＴＶ映像２１２を出力する。
【００１９】
アナログチューナ１０４はアナログ放送を受信するためのチューナであり、受信したアナログＴＶ映像２１０を出力する。
【００２０】
デジタルＴＶ映像２１２とアナログＴＶ映像２１０は、ＰＣ１０３と映像切換部１０２に入力される。ＰＣ１０３は、デジタルＴＶ映像２１２およびアナログＴＶ映像２１０をＯＳの提供するグラフィックインタフェースとオーバレイしてＰＣ映像２１３として出力することができ、ＰＣから出力されるＰＣ映像２１３は、映像切換部１０２に入力される。また、ＰＣ１０３は、ＰＣ連携映像切換コントローラ１０１に対し、ＳＵＳ信号２０３を出力し、 ＰＣ連携映像切換コントローラ１０１からＰｏｗ  ＯＮ信号（ｐｏｗｅｒ  ｏｎ信号）２０４が入力される。ＳＵＳ信号２０３は、サスペンド信号と呼ばれるＰＣ１０３の起動情報であり、ＰＣ１０３が起動しているか否かの情報である。Ｐｏｗ  ＯＮ信号２０４は、電源に対する起動指示信号であり、この信号によりＰＣ１０３の起動をおこなう。さらに、ＰＣ１０３とＰＣ連携映像切換コントローラ１０１との間にはバス２０５が接続されており、バス２０５を用いることでＯＳの起動確認、ＡＰの起動指示、ＡＰの起動確認などの幅広い用途の通信をおこなうことができる。
【００２１】
映像切換部１０２は、デジタルＴＶ映像２１２とアナログＴＶ映像２１０とＰＣ映像２１３を選択し、表示部１０７が表示可能な映像形式（例えば、アナログＲＧＢ、ＤＶＩ、ＬＶＤＳなど）に変換して表示映像２１４として出力する。映像の選択は、ＰＣ連携映像切換コントローラ１０１から入力される映像切換制御２０６による切換指示によりおこなう。
【００２２】
ＰＣ連携映像切換コントローラ１０１には、リモコン１０８からの切換指示２０１と筐体ボタン１１０からの切換指示２０２が入力され、ＰＣ連携映像切換コントローラ１０１は、これらの切換指示を受けて、ＰＣ１０３と映像切換部１０２の制御をおこなう。
【００２３】
次に、図２を用いてＰＣ連携映像切換コントローラ１０１とＰＣ１０３の詳細な構成について説明する。
図２は、図１においてＰＣ連携映像切換コントローラ１０１とＰＣ１０３の詳細な構成を示した図である。
【００２４】
ＰＣ連携映像切換コントローラ１０１は、図２に示されるように映像切換制御部３０１と、ＰＣ  Ｐｏｗｅｒ制御部３０２と、ＰＣ・ＯＳ制御部３０３とで構成されている。映像切換制御部３０１は、リモコン１０８からの切換指示２０１または筐体ボタン１１０の切換指示２０２を受けると、同様の指示内容の切換指示３０６を、 ＰＣ  Ｐｏｗｅｒ制御部３０２と、ＰＣ・ＯＳ制御部３０３に対して出力する。リモコン１０８および筐体ボタン２０１によって指示される具体的な内容としては、インスタントＴＶ機能の起動やＯＳ起動、ＴＶ視聴ＡＰ起動、ブラウザＡＰ起動などがあげられる。
【００２５】
ＰＣ  Ｐｏｗｅｒ制御部３０２は、切換指示３０６が入力されるとＰＣ１０３より入力されるＳＵＳ信号２０３によりＰＣ１０３が起動しているか否かを判断し、起動していない場合には、Ｐｏｗ  ＯＮ信号２０４によりＰＣ１０３の起動指示をおこない、起動している場合には、ＰＣ１０３が起動した旨の情報であるＰＣ起動情報３０５を出力する。
【００２６】
一方、ＰＣ・ＯＳ制御部３０３は、切換指示３０６が入力されるとバス２０５を用いてＯＳが起動したか否かをＰＣ１０３に対して問い合わせる。バス２０５によりＰＣ１０３からＯＳ起動完了の情報を受けると、切換指示３０６の内容がＯＳ起動である場合、ＯＳ・ＡＰ起動情報３０４としてＯＳの起動終了情報を出力する。切換指示３０６の内容がＴＶ視聴ＡＰ起動やブラウザ起動である場合には、ＰＣ１０３からＯＳ起動完了の情報を受け取った後に、ＰＣ１０３へ該当するＡＰの起動指示をおこなう。そして、ＰＣ１０３から該当するＡＰの起動完了の情報を受け取った後に、ＯＳ・ＡＰ起動情報３０４としてＡＰの起動終了情報を出力する。
【００２７】
映像切換制御部３０１は、出力した切換指示３０６に対して、ＰＣ起動情報３０５での起動完了と、ＯＳ・ＡＰ起動情報３０４での起動完了を受けると、リモコン１０８または筐体ボタン１１０の切換指示が完了したと判断し、映像切換制御２０６を用いて映像切換部１０２に対してＰＣ映像２１３を選択して出力するように指示する。
【００２８】
ＰＣ１０３は、ＰＣシステム制御部３１０と、表示コントローラ３１２と、ＯＳ・ＡＰ制御部３０９と、電源制御部３１１とで構成されている。ＰＣシステム制御部は、ＰＣ１０３がパーソナルコンピュータとして動作するための制御部である。表示コントローラ３１２は、ＰＣの映像にデジタルＴＶ映像２１２およびアナログＴＶ映像をオーバレイしてＰＣ映像２１３として出力するコントローラである。ＯＳ・ＡＰ制御部３０９は、ＰＣ１０３のＯＳが起動したか否かの判断と、要求されたＡＰの起動と、それが起動したか否かの判断をおこない、ＰＣ・ＯＳ制御部３０３から指示された要求が完了するとバス２０５を用いて起動終了情報を出力する。 ＯＳ・ＡＰ制御部３０９は、ＯＳ上で動作するソフトウェアとして実現される。
【００２９】
電源制御部３１１は、ＰＣ１０３の起動とその起動情報の制御をおこなう。ＰＣ  Ｐｏｗｅｒ制御部３０２よりＰｏｗ  ＯＮ信号２０４が入力されるとＰＣ１０３の起動をおこない、ＰＣが起動しているか否かの情報をＳＵＳ信号２０３に出力する。
【００３０】
次に、本発明に係るＰＣシステムの動作の詳細について説明する。
【００３１】
本発明に係るＰＣシステムには、基本的な機能としてインスタントＴＶ視聴機能とＰＣ機能があり、先ず、インスタントＴＶ視聴機能の動作について説明する。
【００３２】
リモコン１０８または筐体ボタン１１０より、インスタントＴＶ視聴機能の起動が指示されると、映像切換制御部３０１は、デジタルＴＶ映像２１２またはアナログＴＶ映像２１０を選択するように映像切換部１０２に対して映像切換制御２０６の指示を出力する。デジタルＴＶ映像２１２とアナログＴＶ映像２１０のどちらが選択されるかは、明示的にユーザに指定させることも可能であるし、最後に視聴していた方を選択するようにしてもよい。このときには、最後に視聴していた情報は映像切換制御部３０１が保持することになる。
【００３３】
以上により、インスタントＴＶ視聴機能の起動が指示されると直ちにＴＶ映像を表示部１０７に表示することができる。
【００３４】
次に、ＰＣ機能の動作について説明する。先述の通りＰＣ機能については、ＯＳ起動だけでなくＴＶ視聴ＡＰやブラウザＡＰなどのＡＰ起動の機能があり、それぞれの動作が異なるため、ＯＳ起動とＡＰ起動それぞれに関して流れをわかりやすくするために、それぞれ図３と図４のフローチャートを用いて説明する。
図３は、ＯＳ起動を指示された場合の動作を示すフローチャートである（その一）。
【００３５】
先ず、リモコン１０８または筐体ボタン１１０により、ＯＳ起動を指示されると映像切換制御部３０１は、ＯＳ起動の指示を切換指示３０６に出力する（５０１）。
【００３６】
ＰＣ  Ｐｏｗｅｒ制御部３０２は、この切換指示３０６を受け、ＳＵＳ信号２０３によりＰＣ１０３が起動しているか否かの確認をおこなう（５０２）。
【００３７】
ＰＣ１０３が起動していない場合には、ＰＣ  Ｐｏｗｅｒ制御部３０２は、Ｐｏｗ  ＯＮ信号２０４により電源制御部３１１にＰＣ１０３の起動指示をおこなう（５０３）。ＰＣ１０３の起動を確認した後、ＰＣ  Ｐｏｗｅｒ制御部３０２はＰＣ起動情報３０５としてＰＣ１０３が起動した旨の情報を出力する。
【００３８】
次に、映像切換制御部３０１は、映像切換部１０２の表示映像２１４がＰＣ映像２１３を選択しているか否かを判断する（５０４）。選択している情報は、映像切換制御部３０１が保持しており、ＰＣ映像２１３が選択されている場合には、映像切換制御部３０１は映像切換部１０２の切換をおこなわず全ての処理を終了する（Ｅｎｄ）。
【００３９】
ＰＣ映像２１３が選択されていない場合には、映像切換制御部３０１は、インスタントＴＶ視聴機能が起動中か否かを判断する（５０５）。インスタントＴＶ視聴機能の起動・未起動の情報は映像切換制御部３０１が保持しており、インスタントＴＶ視聴機能が起動中でない場合には、映像切換制御部３０１は、映像切換制御２０６の信号により映像切換部１０２に対してＰＣ映像２１３を出力として選択するように指示する（５１０）。
【００４０】
インスタントＴＶ視聴機能が起動中である場合には、映像切換制御部３０１は映像切換制御２０６の信号により映像切換部１０２に対して、ＰＣ起動中の旨の表示をＴＶ映像と重ねて表示映像２１４へ出力するように指示する（５０６）。
【００４１】
次に、映像切換制御部３０１はタイムカウントを開始し（５０７）、ＰＣ１０３のＯＳが起動するために必要な時間を大幅に上回る程度にタイムカウントが進んでいるか否かの確認を行う（５０８）。タイムカウントをおこなう時間は、例えばＯＳの起動時間が１分程度であれば、２分程度までおこなえば十分である。タイムカウントが規定時間を超えた場合、映像切換制御部３０１は、ＰＣ起動中にエラーが発生した旨の表示をＴＶ映像と重ねて表示映像２１４へ出力するように映像切換部１０２に対して指示する（５１１）。
【００４２】
タイムカウントが規定時間を超えていない場合、ＰＣ・ＯＳ制御部３０３は、バス２０５を用いてＯＳ・ＡＰ制御部３０９に対してＰＣ１０３のＯＳが起動したか否かの確認をおこなう（５０９）。
【００４３】
ＯＳ・ＡＰ制御部３９８からＯＳ起動完了の情報を受けられない場合には、再びタイムカウントの判定処理（５０８）に戻る。
【００４４】
ＯＳ・ＡＰ制御部３０９からＯＳ起動完了の情報を受けた場合には、ＰＣ・ＯＳ制御部３０３はＯＳ起動した旨の情報をＯＳ・ＡＰ情報３０４として出力する。
【００４５】
この段階で ＰＣ１０３が起動し、かつ、ＯＳも起動したことになるので、映像切換制御部３０１は、映像切換部１０２に対してＰＣ映像２１３を選択して、表示映像２１４を出力するように指示する（５１０）。
【００４６】
以上の様な流れにより、ＯＳ起動の指示を受け付けるとＰＣ連携映像切換コントローラ１０１は、ＰＣ１０３の起動とＯＳの起動確認をおこない、インスタントＴＶ視聴機能中であればＯＳの起動確認の後に、表示映像２１４としてＰＣ映像２１３を出力することが可能になる。
【００４７】
次に、図４を用いてＡＰ起動を指示された場合の動作について説明する。
図４は、ＡＰ起動を指示された場合の動作を示すフローチャートである（その一）。
【００４８】
先ず、リモコン１０８または筐体ボタン１１０からＡＰ起動を受け付けると、映像切換制御部３０１は、ＯＳ起動の指示を切換指示３０６として出力する（６０１）。
【００４９】
ＰＣ  Ｐｏｗｅｒ制御部３０２は、この切換指示３０６を受け、ＳＵＳ信号２０３によりＰＣ１０３が起動しているか否かの確認をおこなう（６０２）。
【００５０】
ＰＣ１０３が起動していない場合には、Ｐｏｗ  ＯＮ信号２０４を用いて電源制御部３１１にＰＣ１０３の起動指示をおこなう（６０３）。ＰＣ１０３の起動を確認した後、ＰＣ  Ｐｏｗｅｒ制御部３０２は、ＰＣ１０３が起動した旨の情報をＰＣ起動情報３０５として出力する。
【００５１】
次に、映像切換制御部３０１は、映像切換部１０２の表示映像２１４への出力としてＰＣ映像２１３を選択しているか否かを判断する（６０４）。選択している情報は、映像切換制御部３０１が保持しており、ＰＣ映像２１３が選択されている場合には、映像切換制御部３０１は、映像切換部１０２の切換をおこなわず全ての処理を終了する（Ｅｎｄ）。
【００５２】
ＰＣ映像２１３が選択されていない場合には、映像切換制御部３０１はインスタントＴＶ視聴機能が起動中か否かを判断する（６０５）。インスタントＴＶ視聴機能の起動・未起動の情報は映像切換制御部３０１が保持しており、インスタントＴＶ視聴機能が起動中でない場合には、映像切換制御部３０１は映像切換制御２０６の信号により映像切換部１０２に対してＰＣ映像２１３を選択して出力するように指示する（６１０）。
【００５３】
インスタントＴＶ視聴機能が起動中である場合は、映像切換制御部３０１は映像切換制御２０６の信号により映像切換部１０２に対して、ＰＣ起動中の旨の表示をＴＶ映像と重ねて表示映像２１４へ出力するように指示する（６０６）。
【００５４】
次に、映像切換制御部３０１はタイムカウントを開始し（６０７）、ＰＣ１０３のＯＳが起動するために必要な時間を大幅に上回る程度にタイムカウントが進んでいるか否かの確認をおこなう（６０８）。タイムカウントを行う時間は、例えばＯＳの起動時間が１分程度であれば、数分程度までおこなえば十分である。タイムカウントが規定時間を超えた場合には、映像切換制御部３０１は、ＡＰ起動中にエラーが発生した旨の表示をＴＶ映像と重ねて表示映像２１４へ出力するように表示切換１０２に対して指示する（６１５）。
【００５５】
タイムカウントが規定時間を超えていない場合には、ＰＣ・ＯＳ制御部３０３はバス２０５を用いてＯＳ・ＡＰ制御部３０９に対してＰＣ１０３のＯＳが起動したか否かの確認をおこなう（６０９）。
【００５６】
ＯＳ・ＡＰ制御部３０９からＯＳ起動完了の情報を受けられない場合は、再びタイムカウント判定処理（６０８）に戻る。
【００５７】
ＯＳ・ＡＰ制御部３０９からＯＳ起動完了の情報を受けた場合、ＰＣ・ＯＳ制御部３０３はバス２０５を用いてＯＳ・ＡＰ制御部３０９に対して、リモコン１０８または筐体ボタン１１０より指示されたＡＰの起動をおこなうように指示し、ＯＳ・ＡＰ制御部３０９はこの指示を受けて、そのＡＰの起動をおこなう（６１０）。
【００５８】
次に、映像切換制御部３０１はタイムカウントを開始し（６１１）、ＰＣ１０３のＡＰが起動するために必要な時間を大幅に上回る程度にタイムカウントが進んでいるか否かの確認をおこなう（６１２）。タイムカウントをおこなう時間は、先述のＯＳ起動の場合と同様、数分程度までおこなえば十分である。タイムカウントが規定時間を超えた場合には、映像切換制御部３０１は、ＡＰ起動中にエラーが発生した旨の表示をＴＶ映像と重ねて表示映像２１４へ出力するように表示切換１０２に対して指示する（６１５）。
【００５９】
タイムカウントが規定時間を超えていない場合には、ＰＣ・ＯＳ制御部３０３はバス２０５を用いてＯＳ・ＡＰ制御部３０９に対して、そのＡＰが起動したかどうかの確認を行う（６１３）。
【００６０】
ＯＳ・ＡＰ制御部３０９からそのＡＰのＡＰ起動完了の情報を受けられない場合には、再びタイムカウント判定処理（６１２）に戻る。
【００６１】
ＯＳ・ＡＰ制御部３０９から、そのＡＰのＡＰ起動完了の情報を受けた場合には、ＰＣ・ＯＳ制御部３０３はＯＳ起動した旨の情報をＯＳ・ＡＰ情報３０４として出力する。
【００６２】
この段階でＰＣ１０３が起動し、かつ、ＯＳと指定されたＡＰも起動したことになるので、映像切換制御部３０１は、 表示映像２１４をＰＣ映像２１３に切換えるように映像切換部１０２に対して指示する（６１４）。
【００６３】
以上の様な流れにより、ＡＰ起動の指示を受け付けるとＰＣ連携映像切換コントローラ１０１は、ＰＣ１０３の起動とＯＳの起動確認、ＡＰの起動と起動確認をおこない、インスタントＴＶ視聴機能中であれば指定されたＡＰの起動確認の後に、表示映像２１４としてＰＣ映像２１３の出力に切換ることが可能になる。
【００６４】
次に、ＯＳを終了させた場合の動作について説明する。
【００６５】
使用者がＯＳを終了させた場合には、ＯＳ・ＡＰ制御部３０９は、バス２０５を用いＰＣ・ＯＳ制御部３０３に対して、ＯＳが終了した旨の情報を出力する。この情報を受け、ＰＣ・ＯＳ制御部３０３は、ＯＳ・ＡＰ情報３０４の信号により、映像切換制御部３０１に対して、同様の情報を出力する。これにより映像切換制御部３０１は、ＯＳが終了した情報を受けたことになるため、映像切換制御２０６の信号により、映像切換部１０２に対して、表示映像２１４の出力の切換を指示する。指示内容として、ＯＳを起動する前にインスタントＴＶ視聴機能を使用していた場合にはその時視聴していたＴＶ映像に切り換えるように指示する。一方、インスタントＴＶ視聴機能を使用していなかった場合は切換指示をおこなわないようにする。
【００６６】
次に、ＯＳを終了させずにインスタントＴＶ機能を使用する場合の動作について説明する。
【００６７】
使用者がＯＳを終了させずに、リモコン１０８または筐体ボタン１１０により、インスタントＴＶ視聴機能を指示すると、映像切換制御部３０１は映像切換制御２０６を用い、映像切換部１０２に対して切換指示をおこなう。指示内容として、ＰＣ１０３においてＴＶ視聴用ＡＰを起動していた場合には、そのＡＰで視聴していたＴＶ映像の選択情報をＰＣ・ＯＳ制御部３０３経由で取得し、そのＴＶ映像を映像切換部１０２の選択して出力するようにする。
【００６８】
次に、スクリーンセーバーモードを使用する場合の動作について説明する。
【００６９】
グラフィックインターフェースを持つＯＳは、通例、ユーティリティとして、表示部１０７の焼き付けを防止するためのスクリーンセーバーを有している。
【００７０】
スクリーンセーバーモードの起動管理は、ＯＳ上で管理されており、スクリーンセーバーの表示内容もＯＳ上で設定する。このスクリーンセーバーの一種として、ＴＶ視聴スクリーンセーバを用意する。すなわち、スクリーンセーバーの表示内容として、ＴＶ映像を指定することができ、スクリーンセーバーを動作させることが、ＴＶ映像の表示と異ならないようにする。
【００７１】
ＴＶ視聴スクリーンセーバを指定した状態でスクリーンセーバーモードに移行すると、ＯＳ・ＡＰ制御部３０９は、バス２０５を用いてＰＣ・ＯＳ制御部に対して、スクリーンセーバーモード起動要求情報を出力する。これを受け、ＰＣ・ＯＳ制御部３０３はＯＳ・ＡＰ情報３０４の信号により、映像切換制御部１０１に対してスクリーンセーバーモードの起動要求を受けた旨の情報を出力し、映像切換制御部１０１は、映像切換制御２０６の信号により映像切換部１０２に対して、全画面のＴＶ映像を出力するように指示する。スクリーンセーバーモードを終了する場合には、映像切換制御部１０１は映像切換制御２０６の信号により映像切換部１０２に対して、元のＰＣ映像２１３を出力するように指示する。
【００７２】
〔実施形態２〕
以下、本発明に係る第二の実施形態を、図５ないし図７を用いて説明する。
【００７３】
先ず、図５を用いて本発明の第二の実施形態に係るインスタントＴＶ視聴機能を有するＰＣシステムの構成について説明する。
図５は、本発明の第二の実施形態に係るインスタントＴＶ視聴機能を有するＰＣシステムにおいて、ＰＣ連携映像切換コントローラ１０１とＰＣ１０３の詳細な構成を示した図である。
【００７４】
本実施形態は、実施形態１の図１に示される映像切換部１０２をオーバレイ部６０１に置き換え、オーバレイをＰＣ１０３ではなく、オーバレイ部６０１によりおこなうものである。この構成は、デジタル放送のデータをＰＣに入力していないため、デジタル放送が視聴可能なＰＣにおいてもコンテンツ保護をおこなうことが可能な構成となっている。
【００７５】
次に、本実施形態のＰＣシステムの動作について説明する。
【００７６】
リモコン１０８または筐体ボタン１１０からインスタントＴＶ視聴機能の起動を指示された場合、映像切換制御部３０１は、実施形態１と同様の動作をする。
【００７７】
次に、ＰＣ機能のＯＳ起動とＡＰ起動のそれぞれに関して図６および図７のフローチャートを用いて説明する。
【００７８】
図６は、ＯＳ起動を指示された場合の動作を示すフローチャートである（その二）。
【００７９】
動作内容は、実施形態１の図３のフローチャート上のＯＳ起動済か否かの判断（５０９）において、ＯＳ起動済であった場合の動作のみ異なっており、他は同様である。本実施形態では、ＯＳ起動済か否かを判断し（５０５）、ＯＳ起動済であった場合には、映像切換制御部３０１は映像切換制御２０６の信号によりオーバレイ部７０１に対し、ＰＣ映像と視聴していたＴＶ映像のオーバレイをおこなう様に指示する（７０２）。
【００８０】
以上の様な流れにより、ＯＳ起動の指示を受け付けるとＰＣ連携映像切換コントローラ１０１は、ＰＣ１０３の起動とＯＳの起動確認をおこない、インスタントＴＶ視聴機能中であれば、ＯＳの起動確認の後に表示映像２１４をＰＣ映像２１３とＴＶ映像をオーバレイした表示に切換ることが可能になる。
【００８１】
次に、ＡＰ起動を指示された場合について、図７のフローチャートにより説明する。
【００８２】
図７は、ＡＰ起動を指示された場合の動作を示すフローチャートである（その二）。
【００８３】
動作内容は、実施形態１の図４のフローチャート上のＡＰ起動済か否かの判断（６１３）において、ＡＰ起動済であった場合の動作のみ異なっており、他は同様である。本実施形態では、ＯＳ起動済か否かを判断し（６１３）、ＡＰ起動済であった場合には、映像切換制御部３０１は映像切換制御２０６を用いオーバレイ部７０１に対し、ＰＣ映像と視聴していたＴＶ映像のオーバレイをおこなう様に指示する（７０３）。
【００８４】
以上の様な流れにより、ＡＰ起動の指示を受け付けるとＰＣ連携映像切換コントローラ１０１は、ＰＣ１０３の起動とＯＳの起動確認、ＡＰの起動と起動確認をおこない、インスタントＴＶ視聴機能中であれば、そのＡＰの起動確認の後に表示映像２１４をＰＣ映像２１３とＴＶ映像をオーバレイした表示に切換ることが可能になる。
【００８５】
また、図５における構成でＴＶ視聴用のＡＰを起動した場合、表示コントローラ３１２の代わりにオーバレイ部７０１でＴＶ映像のオーバレイをおこなう。ＴＶ視聴用のＡＰを起動した場合、ＯＳ・ＡＰ制御部３０９は、バス２０５を用いＰＣ・ＯＳ制御部に対して、そのＴＶ視聴用のＡＰの表示位置とサイズ情報を出力する。これを受け、ＰＣ・ＯＳ制御部３０３はＯＳ・ＡＰ情報３０４を用いて映像切換制御部３０１に対して、同様の情報を出力する。映像切換制御部はこの情報を基に、映像切換制御２０６を用いてオーバレイ部７０１に対して、ＴＶ映像の表示位置とサイズを指示する。この指示を受け、オーバレイ部７０１はＰＣ映像２１３に指示された任意のＴＶ映像をオーバレイした表示映像２１４を出力する。これにより、ＴＶ映像自体をＰＣに入力しないので、ＰＣに負荷がかからず、デジタル放送で問題とされやすい著作権上の問題も生じない。
【００８６】
ＯＳを終了させた場合と、ＯＳを終了させずにインスタントＴＶ視聴機能を使用する場合と、スクリーンセーバーモードを使用する場合の動作ついては、実施形態１の場合と同様である。
【図面の簡単な説明】
【００８７】
【図１】本発明の第一の実施形態に係るインスタントＴＶ視聴機能を有するＰＣシステムの構成図である。
【図２】図１においてＰＣ連携映像切換コントローラ１０１とＰＣ１０３の詳細な構成を示した図である。
【図３】ＯＳ起動を指示された場合の動作を示すフローチャートである（その一）。
【図４】ＡＰ起動を指示された場合の動作を示すフローチャートである（その一）。
【図５】本発明の第二の実施形態に係るインスタントＴＶ視聴機能を有するＰＣシステムにおいて、ＰＣ連携映像切換コントローラ１０１とＰＣ１０３の詳細な構成を示した図である。
【図６】ＯＳ起動を指示された場合の動作を示すフローチャートである（その二）。
【図７】ＡＰ起動を指示された場合の動作を示すフローチャートである（その二）。
【符号の説明】
【００８８】
１０１…ＰＣ連携映像切換コントローラ、１０２…映像切換部、１０３…ＰＣ、１０４…アナログチューナ、１０５…デジタルデコーダ、１０６…デジタルチューナ、１０７…表示部、１０８…リモコン、１０９…筐体ボタン、２０１…リモコン１０８の切換指示、２０２…筐体ボタン１０９の切換指示、２０３…ＳＵＳ信号、２０４…Ｐｏｗ  ＯＮ信号、２０５…バス、２０６…映像切換制御、２１０…アナログＴＶ映像、２１１…デジタルＴＶ映像情報、２１２…デジタルＴＶ映像、２１３…ＰＣ映像、２１４…表示映像、３０１…映像切換制御部、３０２…ＰＣ  Ｐｏｗｅｒ制御部、３０３…ＰＣ・ＯＳ制御部、３０４…ＯＳ・ＡＰ情報、３０５…ＰＣ起動情報、３０６…映像切換制御部３０１の切換指示、３０９…ＯＳ・ＡＰ制御部、３１０…ＰＣシステム制御部、３１１…電源制御部、３１２…表示コントローラ、７０１…オーバレイ部。
【図１】
2006140788.tif 000003
【図２】
2006140788.tif 000004
【図３】
2006140788.tif 000005
【図４】
2006140788.tif 000006
【図５】
2006140788.tif 000007
【図６】
2006140788.tif 000008
【図７】
2006140788.tif 000009